(57)【要約】【課題】樹木や蔓に生る果実を被包して保護する果実保護体において、取り付け及び取り外しが容易であるとともに、鳥害、虫害及び天候の影響等による果実の傷みを防ぐことができ、繰り返し使用が可能な果実保護体を提供する。【解決手段】異なる２つの不織布を主体とするシート状物からなり、互いに合接して果実包被部２０を形成する第１凹部２１及び第２凹部２２を有する第１容体１１及び第２容体１２とを備え、第１凹部及び第２凹部の外周には、第１鍔部３１及び第２鍔部３２がそれぞれ形成されており、第１鍔部及び第２鍔部には、第１容体及び第２容体を一体に連接するヒンジ部４０と、第１容体及び第２容体を互いに合着する凸部５４と孔部５３の嵌着により形成された合着部５０が形成されているとともに、合着部には茎挿通部６０が形成され、排水切欠部７０が形成されたことを特徴とする。【選択図】図１
2015139401.tif 000002
【特許請求の範囲】
【請求項１】
通気性を有するシート状物からなり、互いに合接して果実包被部を形成する第１凹部及び第２凹部を有する第１容体及び第２容体とを備え、
前記第１凹部及び第２凹部の外周には、第１鍔部及び第２鍔部がそれぞれ形成されており、
前記第１鍔部及び第２鍔部には、前記第１容体及び第２容体を一体に連接するヒンジ部と、前記第１容体及び第２容体を互いに合着する合着部が形成されているとともに、
前記合着部には茎挿通部が形成されている
ことを特徴とした果実保護体。
【請求項２】
通気性を有するシート状物からなり、互いに合接して果実包被部を形成する第１凹部及び第２凹部を有する第１容体及び第２容体とを備え、
前記第１凹部及び第２凹部の外周には、第１鍔部及び第２鍔部がそれぞれ形成されており、
前記第１鍔部及び第２鍔部には、前記第１容体及び第２容体を一体に連接するヒンジ部と、前記第１容体及び第２容体を互いに合着する合着部が形成されているとともに、
前記ヒンジ部には茎挿通部が形成されている
ことを特徴とした果実保護体。
【請求項３】
前記ヒンジ部に茎導入スリット部が形成された請求項２に記載の果実保護体。
【請求項４】
前記ヒンジ部に枝挿通部が形成された請求項２又は３に記載の果実保護体。
【請求項５】
排水切欠部が形成された請求項１ないし４のいずれか１項に記載の果実保護体。
【請求項６】
前記シート状物が不織布体である請求項１ないし５のいずれか１項に記載の果実保護体。
【請求項７】
前記不織布体が異なる２つの不織布により構成されている請求項６項に記載の果実保護体。
【請求項８】
前記合着部が凸部と孔部の嵌着により形成されている請求項１ないし７のいずれか１項に記載の果実保護体。
【発明の詳細な説明】
【技術分野】
【０００１】
本発明は果実保護体に関し、特に枝に生っている果実を包被して保護する果実保護体に関する。
【背景技術】
【０００２】
果実等を露地栽培で行う場合、日照、降水等天候の影響を強く受ける。果実の成熟には日照時間や降水量等が不可欠であり、程よい日照と降水により果肉が増し糖分が蓄積される。しかし、果実の成熟中に過度の日照や降水によって、日焼けによる変色や果実表面のひび割れ、雨水が果実表面に付着することによる腐敗等が生じてしまうことがある。また、果実が甘みを増す時期になると、鳥がつついたり虫が喰う等により、果実が傷つき商品としての価値がなくなってしまうことがあった。
【０００３】
このような問題を回避するために、果実を袋体により被覆したり、傘状のカバーを取り付ける等、様々な方法で果実の保護が図られている。例えば、紙製の袋を果実に被せて上部を針金等で枝に括り付けて取り付けることで果実を被覆保護したり、四角形や円形の紙等のシートに切り込みを入れて果実にの上部で切り込みを入れた辺を内側に重ねて傘状の形状として果実に雨水が直接当たらないように保護したりする。他にも、傘本体に垂れ下がり片を備え、垂れ下がり片により鳥の侵入及び接近を防ぐ果実用傘が提案され、鳥害などを防ぐための工夫がなされている（特許文献１参照。）。
【０００４】
しかし、鳥害のみならず虫害を防ぐためには、果実の上部を覆う果実用傘では保護しきることができず、また、袋状の果実保護体は取り付けが面倒であったり使い捨てでコストがかかったりする等の問題があった。そこで、取り付けが容易ながら、鳥害、虫害及び天候の影響等による果実の傷みを防ぐことができる果実保護体の改良が求められていた。
【先行技術文献】
【特許文献】
【０００５】
【特許文献１】特開平７−１０７８６６号公報
【発明の概要】
【発明が解決しようとする課題】
【０００６】
本発明は、前記の点に鑑みなされたものであり、樹木や蔓に生る果実を被包して保護する果実保護体において、取り付け及び取り外しが容易であるとともに、鳥害、虫害及び天候の影響等による果実の傷みを防ぐことができ、繰り返し使用が可能な果実保護体を提供するものである。
【課題を解決するための手段】
【０００７】
すなわち、請求項１の発明は、通気性を有するシート状物からなり、互いに合接して果実包被部を形成する第１凹部及び第２凹部を有する第１容体及び第２容体とを備え、前記第１凹部及び第２凹部の外周には、第１鍔部及び第２鍔部がそれぞれ形成されており、前記第１鍔部及び第２鍔部には、前記第１容体及び第２容体を一体に連接するヒンジ部と、前記第１容体及び第２容体を互いに合着する合着部が形成されているとともに、前記合着部には茎挿通部が形成されていることを特徴とした果実保護体に係る。
【０００８】
請求項２の発明は、通気性を有するシート状物からなり、互いに合接して果実包被部を形成する第１凹部及び第２凹部を有する第１容体及び第２容体とを備え、前記第１凹部及び第２凹部の外周には、第１鍔部及び第２鍔部がそれぞれ形成されており、前記第１鍔部及び第２鍔部には、前記第１容体及び第２容体を一体に連接するヒンジ部と、前記第１容体及び第２容体を互いに合着する合着部が形成されているとともに、前記ヒンジ部には茎挿通部が形成されていることを特徴とした果実保護体に係る。
【０００９】
請求項３の発明は、前記ヒンジ部に茎導入スリット部が形成された請求項２に記載の果実保護体に係る。
【００１０】
請求項４の発明は、前記ヒンジ部に枝挿通部が形成された請求項２又は３に記載の果実保護体に係る。
【００１１】
請求項５の発明は、排水切欠部が形成された請求項１ないし４のいずれか１項に記載の果実保護体に係る。
【００１２】
請求項６の発明は、前記シート状物が不織布体である請求項１ないし５のいずれか１項に記載の果実保護体に係る。
【００１３】
請求項７の発明は、前記不織布体が異なる２つの不織布により構成されている請求項６に記載の果実保護体に係る。
【００１４】
請求項８の発明は、前記合着部が凸部と孔部の嵌着により形成されている請求項１ないし７のいずれか１項に記載の果実保護体に係る。
【発明の効果】
【００１５】
請求項１の発明に係る果実保護体によると、通気性を有するシート状物からなり、互いに合接して果実包被部を形成する第１凹部及び第２凹部を有する第１容体及び第２容体とを備え、前記第１凹部及び第２凹部の外周には、第１鍔部及び第２鍔部がそれぞれ形成されており、前記第１鍔部及び第２鍔部には、前記第１容体及び第２容体を一体に連接するヒンジ部と、前記第１容体及び第２容体を互いに合着する合着部が形成されているとともに、前記合着部には茎挿通部が形成されているため、取り付け及び取り外しが容易であるとともに、鳥害、虫害及び天候の影響等による果実の傷みを防ぐことができ、繰り返し使用が可能である。
【００１６】
請求項２の発明に係る果実保護体によると、通気性を有するシート状物からなり、互いに合接して果実包被部を形成する第１凹部及び第２凹部を有する第１容体及び第２容体とを備え、前記第１凹部及び第２凹部の外周には、第１鍔部及び第２鍔部がそれぞれ形成されており、前記第１鍔部及び第２鍔部には、前記第１容体及び第２容体を一体に連接するヒンジ部と、前記第１容体及び第２容体を互いに合着する合着部が形成されているとともに、前記ヒンジ部には茎挿通部が形成されているため、取り付け及び取り外しが容易であるとともに、鳥害、虫害及び天候の影響等による果実の傷みを防ぐことができ、繰り返し使用が可能である。
【００１７】
請求項３の発明に係る果実保護体によると、請求項２の発明において、前記ヒンジ部に茎導入スリット部が形成されたため、茎を圧迫せず果実の生長を妨げることなく保護することができる。
【００１８】
請求項４の発明に係る果実保護体によると、請求項２又は３の発明において、前記ヒンジ部に枝挿通部が形成されたため、茎と茎と連続する枝の距離が近い果実であっても、果実を傷つけることなく、極めて簡単に取り付けることができる。
【００１９】
請求項５の発明に係る果実保護体によると、請求項１ないし４のいずれかの発明において、排水切欠部が形成されたため、結露等の果実包被部内部に溜まった水を排出することができるため、果実が傷むのを防ぐことができる。
【００２０】
請求項６の発明に係る果実保護体によると、請求項１ないし５のいずれかの発明において、前記シート状物が不織布体であることから、成形が容易であり、安価に製作することができる。
【００２１】
請求項７の発明に係る果実保護体によると、請求項６の発明において、前記シート状物が異なる２つの不織布により構成されているため、成形を容易にしつつ果実の表面を傷つけない素材等を自由に選択することができる。
【００２２】
請求項８の発明に係る果実保護体によると、請求項１ないし７のいずれかの発明において、前記合着部が凸部と孔部の嵌着により形成されているため、容易に合着することができつつ合着部の外れを防止し、脱落しにくくすることができる。
【図面の簡単な説明】
【００２３】
【図１】第１実施形態の果実保護体の合接状態の全体斜視図である。
【図２】第１実施形態の解放状態の全体斜視図である。
【図３】第１実施形態によりデコポンが保護されている状態を示す斜視図である。
【図４】第２実施形態の果実保護体の合接状態の全体斜視図である。
【図５】第２実施形態の解放状態の全体斜視図である。
【図６】第２実施形態によりブドウが保護されている状態を示す斜視図である。
【図７】第３実施形態の果実保護体の合接状態の全体斜視図である。
【図８】第３実施形態の解放状態の全体斜視図である。
【図９】第３実施形態により柿が保護されている状態を示す斜視図である。
【図１０】他の実施例のバリエーションを示す部分斜視図である。
【発明を実施するための形態】
【００２４】
本発明の果実保護体は、樹木の枝や蔓に生っている状態の果実を保護するものであり、果柄若しくは果柄と連続する枝に取り付けて使用する。このため、熟成してある程度の大きさに生長した果実のみならず、熟成前であって小さい状態の果実であっても取り付けが可能である。
【００２５】
第１実施形態の果実保護体１Ａは、図１の合接状態の斜視図及び図２の解放状態の斜視図のとおり、互いに合接して果実包被部２０を形成する第１凹部２１及び第２凹部２２を有する第１容体１１及び第２容体１２とを備えてなる保護体である。果実保護体１Ａは通気性を有するシート状物からなり、シート状物は不織布、布、紙、発泡体等の通気性を有する素材を用いることができる。また、これらの複合体も用いることができ保護対象の果実の種類や果実の育成環境に応じて適宜選択される。シート状物に小さな通気孔を形成すれば、より素材の選択が自由となる。
【００２６】
本実施例においては、成形の容易さ等から不織布を主体とするシート状物を採用している。不織布により構成されるため一定の強度を有しつつ、日光や空気等を透過して包被された果実の熟成を妨げない。また、果実保護体１Ａの不織布は、外側に低融点（１１０℃）ポリエステル（４４ｄｔ）密度１８８．８ｇ／ｍ2の不織布と、内側にはレギュラーポリエステル（３．３ｄｔ）及び低融点（１１０℃）ポリエステル（４．４ｄｔ）を８５：１５の割合で密度６１．２ｇ／ｍ2の不織布との異なる２枚の不織布をニードルパンチにより結合して使用している。
【００２７】
不織布は、耐候性、耐熱性及び耐薬品性等を有し、繰り返し使用に長けているものを使用し、また、吸水性をほとんどもたないことから、表面に付着する雨水は内側に吸収されず表面を伝って下方に落ちるため、果実に水滴がつかず、傷みが生じない。実施例において、外側を密度が高く硬度を有する不織布とし、内側に柔らかい不織布を使用することによって、果実の表面を傷めにくい構成としている。軽量な不織布を用いるため、果実が小さいうちから使用することが可能である。
【００２８】
第１実施形態はデコポン等の球形状の果実であって、枝に生る果実を保護する果実保護体１Ａである。このため、果実包被部２０は膨らみを大きく形成して略球形状に形成される。保護する果実の種類によって果実包被部２０の形状は適宜決定される。また、第１凹部１１及び第２凹部１２に、突条部１３を形成することにより、第１凹部１１及び第２凹部１２の曲げ強度が増して凹み等の変形を防ぐことができる。突条部１３が内側に保護される果実に当接しないように、外側に凸状に形成されることが望ましい。
【００２９】
第１凹部１１及び第２凹部１２の外周には、外側に延設された第１鍔部３１及び第２鍔部３２がそれぞれ形成されている。実施形態において、第１鍔部３１及び第２鍔部３２には、第１嵌合部３３及び第２嵌合部３４が形成される。第１嵌合部３３には凸状の嵌合凸部３５が形成され、第２嵌合部３４には嵌合凸部３５に対応した嵌合凹部３６が形成される。該嵌合部３３，３４により、第１容体１１及び第２容体１２が合接した時の隙間をなくし、小さい虫も果実保護体１Ａの内部に侵入するのを防ぐことができる。また、第１容体１１と第２容体１２をしっかりと合接することができるようになり、ズレが少なくなり雨天時に水滴などが入りにくくなる。
【００３０】
第１鍔部３１及び第２鍔部３２には、第１容体１１及び第２容体１２を一体に連接するヒンジ部４０が形成され、図２に示すように、ヒンジ部４０の中央には折り曲げ容易のためのミシン目４１が形成される。また、該鍔部３１，３２には第１容体１１と第２容体１２を互いに合着する合着部５０が形成される。ヒンジ部４０のミシン目４１で折り曲げて第１容体１１及び第２容体１２を合接させ、果実包被部２０を形成する。合着部５０は、凸部５４と孔部５３により嵌着されるように形成されると簡単な構成で合着させることができる。果実保護体１Ａにおいて、第１容体１１の第１合着部５１に孔部５３、第２容体１２の第２合着部５２に凸部５４がそれぞれ２つずつ、孔部５３の中心と凸部５４の中心とをわずかに上下及び左右にずらして形成している。凸部５４及び孔部５３を合着する際に、わずかに捩じることにより、凸部５４と孔部５３との摩擦が大きくなって脱落を防ぐことができる。
【００３１】
図１の合接状態において、ヒンジ部４０は果実包被部２０の下方、合着部５０は果実包被部２０の上方に配置されるように形成される。合着部５０には、果実の茎（果柄）を挿通させる茎挿通部６０が形成される。茎を圧迫することなく果実保護体１Ａを取り付けることができるため、果実及び茎の成長を妨げない。また、茎を茎挿通部６０に導入することができるように、第１容体１１の第１鍔部３１と嵌合凸部３５及び第２容体１２の第２鍔部３２には茎挿通部６０に対応する位置に切欠６１や凹部６２を形成することは言うまでもない。
【００３２】
また、第１鍔部３１及び第２鍔部３２の下方、ヒンジ部４０の両側には排水切欠部７０が形成されている。茎挿通部６０と同様に、嵌合凸部３５の排水切欠部７０と対応する位置には切欠７１が形成され果実包被部２０内部に貫通している。果実包被部２０の内部に結露や雨等で水が溜まってしまった時に、水を外部に排出することができ、果実が傷むのを防ぐことができる。さらに第１凹部２１及び第２凹部２２に形成された突条部１３により水が伝いやすくなるため、水の排出が促進される。
【００３３】
ヒンジ部４０が下方に形成されることから、果実は果実保護体１Ａに下から包被されて、果実の上部で合着部を合着させて取り付けられる。図３に示すように、保護されるデコポンＤの茎Ｓに茎挿通部６０を合わせる位置に合着部５０（５１，５２）を配置して、凸部５４を孔部５３に嵌着させてデコポンＤの上部にて合着固定する。デコポンＤの果実全体は果実包被部２０により包まれて保護されるため、鳥や虫に喰われる等して傷むおそれがなくなる。また、果実保護体１Ａは不織布を主体とするシート状物からなるため、果実全体を包みながらも日光や空気を透過し、果実の熟成を妨げない。また、雨等の水滴が直接果実に付着しにくくなり、天候の影響による傷みの発生が抑制される。さらに、果実保護体１Ａは軽量であるため、強風による揺れ等によって茎を痛めにくい。
【００３４】
図４ないし図６は第２実施形態の果実保護体１Ｂを示す。第２実施形態は蔓に生るブドウ等の果実を保護する形態の果実保護体１Ｂである。果実包被部２０ｂを形成する第１凹部２１ｂ及び第２凹部２２ｂは、ブドウＢを保護する容体となるため、縦長に形成される。第２実施形態では、茎挿通部６０ｂはヒンジ部４０ｂに形成される。つまり、第１実施形態とは異なり、合接状態において、ヒンジ部４０ｂは果実包被部２０ｂの上部に形成され、果実の下部において合着部５０ｂを合着して固定する。排水切欠部７０ｂは果実包被部２０ｂの下方に配置されるため、合着部５０ｂの両側に形成され、果実包被部２０ｂ内部の水滴を排出することができる。
【００３５】
図５の解放状態を示す斜視図に示すように、ヒンジ部４０ｂの中央には折り曲げ容易のためのミシン目４１ｂが形成され、一端から茎挿通部６０ｂにかけては、切り離されており果実の茎（蔓）Ｓを導入する茎導入スリット部６６が形成されている。第１実施形態と同様に、茎挿通部６０ｂに対応する位置に第１鍔部３１ｂ及び第２鍔部３２ｂ、嵌合凸部３５ｂに切欠き６１ｂや凹部６２ｂが形成され、遮蔽されることなく茎Ｓを挿通させることができる。ミシン目４１ｂの中央位置、つまり茎導入スリット部６６と茎挿通部６０ｂとの合流箇所には、第１容体と第２容体との合着時に茎が通る程度の茎挿通孔６５を形成すると、茎挿通部６０ｂの端が茎Ｃに接触しにくくなって茎Ｃを傷つけない。
【００３６】
ブドウＢを包被する際には、果実保護体１Ｂを解放状態でヒンジ部４０ｂの茎導入スリット部６６を通して茎挿通部６０ｂにブドウＢの茎Ｃを導入し、ミシン目４１ｂで折り曲げることにより第１凹部２１ｂ及び第２凹部２２ｂで果実包被部２０ｂを形成し、下部に配置される合着部５０ｂを合着させることにより第１容体１１ｂ及び第２容体１２ｂを合接し、図６に示すようにブドウＢは包被されて保護される。
【００３７】
第１実施形態と同様に、第１凹部２１ｂ及び第２凹部２２ｂの外周に第１鍔部３１ｂ及び第２鍔部３２ｂがそれぞれ形成され、第１鍔部３１ｂに第１嵌合部３３ｂである嵌合凸部３５ｂが形成され、第２鍔部３２ｂに第２嵌合部３４ｂである嵌合凹部３６ｂが形成される。このため、第１容体１１ｂ及び第２容体１２ｂを合接する時に、嵌合凸部３５ｂと嵌合凹部３６ｂは果実の外側で嵌合して、果実全体を包被して鳥害や虫害及び天候の影響から果実を保護することができる。
【００３８】
第２実施形態の果実保護体１Ｂは、第１実施形態の果実保護体１Ａと同様に内側に柔らかい不織布と外側に硬い不織布を結合して用いることにより、包被されるブドウＢの表面を傷つけにくくしつつ形態を安定させることができ、成形しやすくすることができる。さらに、図示しないが、凸部５４及び孔部５３をヒンジ部４０に形成して、果実包被部２０の上部においても合着を強固とすることにより、より外れにくくすることも考えられる。
【００３９】
図７ないし図９は第３実施形態の果実保護体１Ｃを示す。第３実施形態は、柿Ｐのような茎Ｓと茎Ｓに連続する枝Ｂとの距離が近い果実を保護する形態の果実保護体１Ｃである。第２実施形態と同様にヒンジ部４０ｃが果実包被部２０ｃの上部に、合着部５０ｃが下部に位置するように配置される。ヒンジ部４０ｃには茎挿通部６０ｃ及び枝挿通部８０が形成され、図７及び図８に示すように、茎挿通部６０ｃの頂点に茎挿通部６０ｃと直角に枝挿通部８０が形成され、茎挿通部と枝挿通部は連続し第１容体と第２容体の合着時には略Ｔ字状、解放時には略十字状に形成される。枝挿通部８０に茎Ｓと連続する枝Ｂを通し、茎挿通部６０ｃに茎Ｓを挿通させることにより果実保護体１Ｃを取り付ける。
【００４０】
柿Ｐは茎Ｓと枝Ｂの距離が短いため、茎Ｓにヒンジ部４０や合着部５０を配置して取り付けると、取付時に柿Ｐを傷つけたり落下させてしまったりする恐れがある。このため、ヒンジ部４０ｃに茎挿通部６０ｃ及び枝挿通部８０を形成し枝Ｂ及び茎Ｓごと柿Ｐを包被することにより、果実保護体１Ｃは極めて簡単に簡単に取り付けることができつつ、柿Ｐを傷めることがない。
【００４１】
なお、本発明の果実保護体における第１容体及び第２容体の大きさ、形状、位置等は、保護目的である果実を勘案して最適に選択される。このため、図示し詳述した実施例の構造のみには限定されない。例えば、図１０に示すように、各実施形態において第１鍔部３１及び第２鍔部３２の一部に外方へ延設した取外舌片３９を形成してもよい。第１鍔部３１に形成される第１取外舌片３７と第２鍔部３２に形成される第２取外舌片３８とをずらして形成すると、つまみやすくなってより取り外しやすくなる。また、排水切欠部７０を第１鍔部３１及び第２鍔部３２の下方頂点に形成して、より排水しやすくすることもできる。図示しないが、合着部又はヒンジ部に排水切欠部を形成する場合には、ヒンジ部又は合着部に水を通しやすくするための筒状の空洞を設けた水導部を形成することにより排水効果を高めることが考えられる。
【００４２】
合着部は凸部及び孔部により形成される他にも、図１０に示すように、係着片９１及び係着凹部９２からなる合着部５０ｄとしてもよい。第１嵌合部３３には係着片９１が形成され、第２嵌合部３４には係着凹部９２が形成される。係着片９１はアーム部９３及びアーム部９３の先端に係着凸部９４とを有し、係着凹部９２に係着凸部９４を嵌合させることにより係着して、第１容体１１及び第２容体１２を合着する。係着凹部９２にアーム部９３に対応する位置に切欠き９５を形成すると係着凸部９４が抜けにくくなる。係着凹部９２及び係着凸部９１の係着により摩擦が大きくなり外れにくくなるため、合接が外れにくく果実保護体１０が脱落しにくい構成とすることができる。さらに、係着凸部９４に舌片９６を形成すると、係着凸部９４を簡単に取外すことができる。また、第２実施形態以降の図示において第１実施形態と同一符号は同一部位を示す。
【符号の説明】
【００４３】
１Ａ，１Ｂ，１Ｃ  果実保護体
１１，１１ｂ，１１ｃ  第１容体
１２，１２ｂ，１２ｃ  第２容体
１３  突条部
２０，２０ｂ，２０ｃ  果実包被部
２１，２１ｂ，２１ｃ  第１凹部
２２，２２ｂ，２２ｃ  第２凹部
３１，３１ｂ，３１ｃ  第１鍔部
３２，３２ｂ，３２ｃ  第２鍔部
３３，３３ｂ，３３ｃ  第１嵌合部
３４，３４ｂ，３４ｃ  第２嵌合部
３５，３５ｂ，３５ｃ  嵌合凸部
３６，３６ｂ，３６ｃ  嵌合凹部
４０，４０ｂ，４０ｃ  ヒンジ部
４１，４１ｂ，４１ｃ  ミシン目
５０，５０ｂ，５０ｃ  合着部
５３  孔部
５４  凸部
６０，６０ｂ、６０ｃ  茎挿通部
６５  茎挿通孔
６６  茎導入スリット
７０，７０ｂ、７０ｃ  排水切欠部
８０  枝挿通部
Ｂ  枝
Ｄ  デコポン
Ｇ  ブドウ
Ｐ  柿
Ｓ  茎
【図１】
2015139401.tif 000003
【図２】
2015139401.tif 000004
【図３】
2015139401.tif 000005
【図４】
2015139401.tif 000006
【図５】
2015139401.tif 000007
【図６】
2015139401.tif 000008
【図７】
2015139401.tif 000009
【図８】
2015139401.tif 000010
【図９】
2015139401.tif 000011
【図１０】
2015139401.tif 000012